(57)【要約】【課題】メモリーカードの抜き取り又は機能設定の変更を防止しメンテナンス作業が容易で安価な表示装置（５０）を提供する。【解決手段】箱状の筐体（１）とその前面（ＺＭ）に設けられた開口部（１ａ）とこの開口部を塞ぐように内設された画像表示部（２）とを備え、互いに対向する第１側面（ＳＭＬ）及び第２側面（ＳＭＲ）における第１側面に設けられた第１係合部（１２）と第２側面に設けられた第２係合部（１３）と、天面（ＪＭ）又は底面（ＳＭ）に設けられたカードスロット（６）の開口部（１ｄ）又は調整操作部（１１）と、を備え、第１係合部をこの装置の前面に沿う方向の移動で柱状被係合部材（７３ａ）に係合する構成とし、第２係合部を前面に直交する方向の移動で柱状被係合部材に係合する構成とした。【選択図】図１
2008207581.tif 000002
【特許請求の範囲】
【請求項１】
略箱状の筐体と、該筐体の前面に設けられた開口部と、該開口部を塞ぐように内設された画像表示部と、を備えた表示装置であって、
互いに対向する第１の側面及び第２の側面における、該第１の側面に設けられた第１の係合部と、該第２の側面に設けられた第２の係合部と、
を備え、
前記第１の係合部を、当該表示装置の前記前面に沿う方向の移動で柱状の被係合部材と係合可能な構成にし、
前記第２の係合部を、当該表示装置の前記前面に略直交する方向の移動で柱状の被係合部材と係合可能な構成にして成ることを特徴とする表示装置。
【請求項２】
前記第２の係合部を、前記被係合部材に対して前記前面側から係合するよう構成したことを特徴とする請求項１記載の表示装置。
【請求項３】
前記筐体の天面又は底面に、カードスロットの開口部又は当該表示装置の調整を行う調整操作部を備えたことを特徴とする請求項１または請求項２記載の表示装置。
【請求項４】
前記第２の係合部を前記筐体に対して伸縮可能にすると共に、該伸縮のいずれか一方向に付勢する付勢手段を設けて成ることを特徴とする請求項１乃至３のいずれか１項に記載の表示装置。
【発明の詳細な説明】
【技術分野】
【０００１】
本発明は、表示装置に係り、特に、車両などの移動体におけるヘッドレストの支柱に取り付けて画像や文字などの情報を表示する表示装置に関する。
【背景技術】
【０００２】
車、鉄道、航空機などの移動体において、乗客に対する宣伝のために広告情報を表示する表示装置が種々提案されており、特に、後部座席に着座した人に対して宣伝をするために、前座席のヘッドレストを利用して表示装置を配設した例が特許文献１に開示されている。
また、特許文献２には、画像を表示するモニタをヘッドレストに埋め込む例が記載されている。
【０００３】
一方、表示装置としては、映画鑑賞などに好適な大型の表示素子を用いたものに対して、近年は、画面は小さくとも高精細な表示で文字や静止画像を中心に商品広告や店舗案内などを行う小型の表示装置も強く要望されてきている。
この小型の表示装置の例として、出願人による特許文献３に記載された画像表示装置がある。
【０００４】
この画像表示装置は、表示素子として有機ＥＬ（ｅｌｅｃｔｒｏｌｕｍｉｎｅｓｃｅｎｃｅ）を用いて商品陳列棚に装着され、側面にカードスロットを備え、このスロットに挿抜可能に装着されたメモリーカードに記憶した広告情報を表示することができる比較的小型の表示装置である。
また、この種の表示装置は、その背面が棚に固定されることから、カードスロットはもとより、電源スイッチ，音量や画質の調整つまみなどは側面に備えられている。
【特許文献１】特開２００１−３５４０７４号公報
【特許文献２】特開２００５−３４３３２８号公報
【特許文献３】特開２００６−３４３３８０号公報
【発明の開示】
【発明が解決しようとする課題】
【０００５】
ところで、上述した表示装置は、特にタクシーなどにおいて、後部座席の乗客に対して広告情報を表示する装置として好適である。
【０００６】
しかしながら、上記特許文献１及び２に記載された表示装置は、ヘッドレスト本体に予め取り付けられたものであり、ヘッドレストやその支柱に対していわゆる後付（あとづけ）ができず、汎用性に乏しく、表示装置としてもコスト高となるものである。
【０００７】
また、特許文献３に記載された画像表示装置は、そのままではヘッドレスト周りに装着するためのアタッチメントなどが必要である。
また、使用状態において、スロットに装着されたメモリーカードを抜き取られないような配慮が必要であり、電源の入り切り、音量調整、メモリーカードや電池の交換などのメンテナンス作業が容易であると共にこれらについても乗客が勝手に触れて設定を変えられないような配慮が必要となる。
【０００８】
そこで、本発明が解決しようとする課題は、ヘッドレスト周りに装着された際に、メモリーカードの抜き取りまたは機能設定の意図しない変更を防止し、メンテナンス作業が容易で、安価な表示装置を提供することにある。
【課題を解決するための手段】
【０００９】
上記の課題を解決するために、本願発明は、手段として次の１）乃至４）の構成を有する。
１）  略箱状の筐体（１）と、該筐体（１）の前面（ＺＭ）に設けられた開口部（１ａ）と、該開口部（１ａ）を塞ぐように内設された画像表示部（２）と、を備えた表示装置であって、
互いに対向する第１の側面（ＳＭＬ）及び第２の側面（ＳＭＲ）における、該第１の側面（ＳＭＬ）に設けられた第１の係合部（１２）と、該第２の側面（ＳＭＲ）に設けられた第２の係合部（１３）と、
を備え、
前記第１の係合部（１２）を、当該表示装置の前記前面（ＺＭ）に沿う方向の移動で柱状の被係合部材（７３ａ）と係合可能な構成にし、
前記第２の係合部（１３）を、当該表示装置の前記前面（ＺＭ）に前記前面（ＺＭ）に略直交する方向の移動で柱状の被係合部材（７３ｂ）と係合可能な構成にして成ることを特徴とする表示装置（５０）である。
２）  前記第２の係合部（１３）を、前記被係合部材（７３ｂ）に対して前記前面（ＺＭ）側から係合するよう構成したことを特徴とする１）に記載の表示装置（５０）である。
３）  前記筐体（１）の天面（ＪＭ）又は底面（ＳＭ）に、カードスロット（６）の開口部（１ｄ）又は当該表示装置の調整を行う調整部（１１）を備えたことを特徴とする１）または２）に記載の表示装置（５０）である。
４）  前記第２の係合部（１３）を前記筐体（１）に対して伸縮可能にすると共に、該伸縮のいずれか一方向（Ｌｎ２）に付勢する付勢手段（１５）を設けて成ることを特徴とする１）乃至３）のいずれかに記載の表示装置（５０）である。
【発明の効果】
【００１０】
本発明によれば、ヘッドレスト周りに装着された際にも、メモリーカードの抜き取りや機能設定の意図しない変更を防ぐことができ、メンテナンス作業が容易であり、安価であるという効果を奏する。
【発明を実施するための最良の形態】
【００１１】
本発明の実施の形態を、好ましい実施例により図１〜図６を用いて説明する。
【００１２】
まず、実施例の表示装置５０の本体構成について説明する。
【００１３】
図１において、この表示装置５０は、樹脂で形成された細長で略箱状の筐体１を有し、その内部には画像を表示する表示素子２と、表示素子２の左右に配置された一対のスピーカ３と、表示素子２及びスピーカ３を駆動する駆動部４と、駆動部４などを制御する制御部５と、メモリーカードＭＣを外部から挿抜可能なカードスロット６と、バッテリー８ａと、を備えている。
【００１４】
筐体１は、その前面ＺＭに細長の開口部１ａが設けられており、表示素子２は、この開口部１ａを塞ぐように配設されている。
外部からはこの開口部１ａを通じて、表示素子２に表示された画像ＧＺを視認できる。
開口部１ａの外側の長手方向左右には、スピーカ３からの音を外部に放出するための放音孔１ｂがそれぞれ設けられている。
【００１５】
筐体１の上面（天面）ＪＭには、カードスロット６に対して、メモリーカードＭＣを挿抜するためのカード開口部１ｄが設けられている。使用するメモリーカードＭＣとしては、ＳＤメモリーカードなどがある。
また、上面ＪＭの背面（後面）側には一部へこんだ凹部１ｃが設けられており、この凹部１ｃには、スピーカ３の音量や表示素子２の画面の輝度などを調整するためのボリュームノブ７，電源ボタン８，再生／停止ボタン９，及び再生頭出しボタン１０などの調整操作部１１が配設されている。
この調整操作部１１の各ノブやボタンは、上面ＪＭから突出しないように凹部１ｃからの突出量が設定されている。
【００１６】
この表示装置５０は、カードスロット６に装着された、画像情報や音声情報を予め記憶したメモリーカードＭＣから各情報を読み出して、表示素子２やスピーカ３から画像や音声として外部に送出するように制御部５が制御するものである。
【００１７】
次に、この表示装置５０の取り付け構造について詳述する。
【００１８】
この表示装置５０は、筐体１の各左右側面（長手方向の対向端面）ＳＭＬ，ＳＭＲに、この表示装置５０を取り付ける部材（支柱）と係合する係合部１２，１３が設けられている。
具体的には、この係合部１２，１３は、所定の間隔で平行に配置された一対の支柱とそれぞれ係合し、係合後に各支柱は、表示装置５０の表示素子２の表示面すなわち、筐体１の前面ＺＭに沿う上下方向に延在するようになっている。
この取り付け態様の一例として、自動車の座席におけるヘッドレストの支柱に取り付けた態様を図２に示す。
【００１９】
図２において、座席７１は前部座席であり、ヘッドレスト７２は、座席の本体部７１ａに一対の支柱７３ａ，７３ｂで支持されている。
また、表示装置５０は、その筐体１の幅Ｗが一対の支柱７３ａ，７３ｂの間隔Ｗｓｔよりも十分小さく設定されている。
【００２０】
従って、この取り付け状態においては、左側の係合部１２（以下、左係合部１２とも称する）が支柱７３ａと係合し、右側の係合部１３（以下、右係合部１３とも称する）が支柱７３ｂと係合して、表示装置５０は、一対の支柱７３ａ，７３ｂの間の、ヘッドレスト７２の底面７２ｔと座席の本体部７１ａの上面７１ａｊとの間に収容されるように装着される。
【００２１】
また、係合部１２，１３と支柱７３ａ，７３ｂとは、後述するように所定の力で互いに付勢されて係合しているので、ヘッドレスト７２の位置を高くするために支柱７３ａ，７３ｂを本体部７１ａから引き出すと、表示装置５０も支柱７３ａ、７３ｂと共に移動するので、この表示装置５０とヘッドレスト７２との位置関係は不変となる。
すなわち、装着の際に、表示装置５０の上面ＪＭとヘッドレスト７２の底面７２ｔとの隙間を狭くしておくことにより、装着後のメモリーカードＭＣの取り出しや、操作部１１の操作が困難になっている。
【００２２】
次に、係合部１２，１３について詳述する。
【００２３】
左係合部１２は、図３に示すように、ヘッドレスト７２の支柱７３ａの一般的な直径φｓｔよりも十分小さい幅ｄ１で表示装置５０の長手に沿う図の左方向Ｌｎに開口するスリット１２ａと、φｓｔよりも十分大きな直径φＬなる内周面１２ｂｎと、を有する支柱収容部１２ｂを備えている。
【００２４】
スリット１２ａを形成する一方の腕部１２ｃは、このスリット１２ａを拡張する方向Ｓに弾性変形可能とされている（以下、腕部１２ｃを可撓腕部１２ｃとも称する）。
また、支柱収容部１２ｂの内部には、筐体１側からその内部に一端側がねじ３０により固定された板ばね１４が延入している。
【００２５】
従って、スリット１２ａを支柱７３ａに当てて図の左方向Ｌｎに押し込むと、可撓腕部１２ｃが外方向Ｓに撓んでスリット１２ａの幅ｄ１が拡張し、支柱７３ａは支柱収容部１２ｂ内に誘導される。
支柱収容部１２ｂ内に誘導された支柱７３ａに対しては、板ばね１４がこの支柱７３ａを、変形しない他方の腕部１２ｄ（以下、固定腕部１２ｄとも称する）に弾性反発力Ｆ１で付勢する。
【００２６】
これにより、支柱７３ａは、支柱収容部１２ｂ内において、板ばね１４と固定腕部１２ｄとにより安定的に保持される。
【００２７】
固定腕部１２ｄの内面形状を、周方向のひだ状にして支柱７３ａとの軸方向の摩擦力を回転方向の摩擦力より増やしておくことは好ましい。
この支柱収容部１２ｂに支柱７３ａを保持した状態において、所定以上の力を付与することで、表示装置５０は支柱７３ａ回り（図３のＲ方向）に回動させることができる。
【００２８】
右係合部１３は、図４に示すように、一般的なヘッドレスト７２の支柱７３ｂの一般的な直径φｓｔよりも十分小さい幅ｄ２で表示装置５０の短手の手前方向（前面ＺＭと概ね直交する方向）Ｌｔに開口するスリット１３ａと、長手の外方向Ｌｎ２に向かうにしたがって拡張するようなＶ字形状を有する支柱当接壁部１３ｂと、支柱当接壁部１３ｂから延出しスリット１３ａを形成する腕部１３ｃと、を有する支柱収容部１３ｄを備えている。
【００２９】
腕部１３ｃは、このスリット１３ａを拡張する方向Ｓに弾性変形可能とされている（以下、腕部１３ｃを可撓腕部１３ｃとも称する）。
また、右係合部１３自体は、筐体１に対して長手に沿う外方向Ｌｎ２に常に付勢されている。
具体的には、右係合部１３は、筐体１に対してその長手方向に所定範囲で摺動可能とされると共に、コイルばね１５により外方向Ｌｎ２に向けてその弾性反発力Ｆ２により常に付勢されている。
右係合部１３がこの弾性反発力Ｆ２で摺動可能とされる範囲は、図示しない摺動規制部により所定の範囲となるように規制されている。
【００３０】
従って、スリット１３ａを支柱７３ｂに押し当てて手前方向Ｌｔに押し込むと、可撓腕部１３ｃが外方向Ｓに撓んでスリット１３ａの幅ｄ２が拡張し、支柱７３ｂは支柱収容部１３ｄ内に誘導される。
支柱収容部１３ｄ内に誘導された支柱７３ｂに対しては、コイルばね１５の弾性反発力Ｆ２によって支柱当接壁部１３ｂが付勢される。
この付勢により、支柱７３ｂは、支柱収容部内１３ｄにおいて、支柱当接壁部１３ｂのＶ字を形成する各傾斜面にＰ１，Ｐ２の２カ所で当接することにより安定的に保持される。
【００３１】
支柱当接壁部１３ｂの内面は、支柱の軸に直交する方向のひだ状にして支柱７３ｂとの軸方向の摩擦力を増やしておくのが好ましい。
また、この構成によれば、支柱７３ｂの直径が異なる場合も、それぞれの径に応じてＶ字の傾斜面に当接するので安定保持することができる。
【００３２】
この表示装置５０は、支柱７３ａ，７３ｂに対して以下に説明する（ａ）〜（ｄ）の取り付け手順で装着ができる（図５参照）。
図５は、座席７１の本体部７１ａを上方から見た概略図であり、支柱７３ａ，７３ｂは断面である。
（ａ）〔図５（ａ）参照〕
まず、この表示装置５０を、取り付ける座席７１（本体部７１ａ）の前方側から、左側の支柱７３ａに押し込むようにして係合部１２を係合させる。
（ｂ）〔図５（ｂ）参照〕
次に、係合部１２が係合した支柱７３ａを中心として当図における時計回りに回動させる。
（ｃ）〔図５（ｃ）参照〕
係合部１３の筐体１に対する伸縮量を矢印ＳＲのように調節して支柱７３ａ，７３ｂの間隔に合わせる。
（ｄ）〔図５（ｄ）参照〕
係合部１３を支柱７３ｂに係合させる。すなわち、係合部１３の係合においては、表示装置５０を、その画面を視認できる側である前面ＺＭ側から支柱７３に接近移動させるようにする。
【００３３】
以上により表示装置５０は支柱７３ａ，７３ｂに取り付けられる。取り外しの場合は、逆の手順で行えばよい。
【００３４】
各係合部１２，１３は、上述したように、支柱７３ａ，７３ｂの直径が異なる場合にも取り付けが可能である。
また、図６（ａ）及び図６（ｂ）にも示すように、筐体１に対して係合部１３が、最縮の場合間隔Ｌｍｉｎに対してその長手方向に所定量Ｌαだけ伸長可能とされているので、ヘッドレスト７２の支柱７３ａ，７３ｂの間隔が異なる場合にも取り付けが可能である。
従って、表示装置５０は、支柱への取り付けに際して汎用性が極めて高く、いわゆる後付を容易に行うことができる。
図６（ａ）は係合部１３の最縮状態を示し、図６（ｂ）は係合部１３の最伸状態を示している。
【００３５】
この表示装置５０は、前部座席の一対のヘッドレスト支柱に取り付ける場合において、一方の係合部を、支柱に対して当該装置５０をその長手方向に押しつけることで係合すると共に、係合後に支柱に対して回動自在となるよう構成してある。
また、その後、他方の係合部を他方の支柱に係合させる際には、座席の前側から表示画面側が他方の支柱と対向する姿勢で回動して取り付ける構造としてある。
【００３６】
これにより、取り付けのためのアタッチメントが不要で、低コストとなり、また、前部座席側からの取り付け及び取り外しが極めて容易になる一方、後部座席側からの取り外しや、一方の支柱回りの回動が大変難しくなっている。
具体的には、後部座席側からこの装置を前方に向けて押しただけでは、その力が強い場合に他方の係合部１３が支柱７３ｂから外れるものの、一方の係合部１２が支柱７３ａから外れることはない。
また、他方の係合部１３が外れても、一方の係合部１２を支柱７３ａから外そうとするならば、後部座席から助手席側に手を廻して前方に向けて引き抜かなければならず、容易に、また、密かに行えるものではない。
従って、後部座席の乗客が、この表示装置自体を外したり、メモリーカードを抜き取ったり、勝手に各種調整をしてしまう可能性を大幅に低減することができている。
【００３７】
上述した実施例では、後部側から見て左側の支柱７３ａを中心に回動可能なように係合部１２，１３の形状が設定されている。
これにより、右ハンドルのタクシーなどにおいては、装置５０を助手席に取り付けて回動した際に、運転席側から画面が視認可能となるので、運転手のメンテナンス作業が大変容易になっている。
【００３８】
一方、左ハンドルのタクシーなどにおいては、係合部１２，１３を左右逆に設けることで、後部側から見て右側の支柱を中心に回動可能となるので運転手のメンテナンス作業が大変容易になる。
そこで、この表示装置５０に、表示画面の上下反転機能を設けてもよい。それにより、左ハンドルと右ハンドルとで、カードスロットや操作部のある面が上下逆になるものの、筐体を共通として左ハンドルあるいは右ハンドルのそれぞれに好適な取り付け形態を選択することができる。
【００３９】
上述した実施例においては、出力する画像情報や音声情報は、後部座席に着座した乗客に有益と思われる情報、あるいは、宣伝したい情報であり、例えば、商品や役務の広告，走行する路線に関連する周辺地域情報，テレビ放送あるいはラジオ放送などである。
【００４０】
本発明の実施例は、上述の構成及び手順に限定されるものではなく、本発明の要旨を逸脱しない範囲において変形例としてもよいのは言うまでもない。
【００４１】
係合部１３側のコイルばね１５の反発力Ｆ２は、係合部１３を伸びる方向に付勢しても、縮める方向に付勢してもよい。
縮める方向に付勢する場合、支柱当接壁部１３ｂは、そのＶ字形状が筐体１から遠いほど狭くなるように形成しておく。
【００４２】
一方、実施例で説明したような、係合部１３が伸びる方向に付勢される場合には、支柱への装着後に係合部１２側の支柱７３ａも内周面１２ｂｎに付勢されるので、係合部１２側の板ばね１４はなくても支柱７３ａは支柱収容部１２ｂに保持され得るが、板ばね１４を用いた方がより確実に保持される。
【００４３】
いずれの場合も、支柱への装着後に係合部１３の伸縮をロックするロック機構を設けておくと好ましい。また、そのロック解除は、装置５０の背面（後面）側から行えることが好ましい。
これにより、後部座席の乗客の取り外しや調整行為をさらに確実に防止することができる。
【００４４】
付勢手段として実施例では板ばね１４とコイルばね１５を説明したが、もちろんこれらに限るものではなく、弾性反発力を発揮する周知の弾性部材を自由に適用することができる。
表示装置５０は、スピーカ３を内蔵していなくてもよい。外部のスピーカに音声を出力させてもよい。
表示素子５０に表示させる内容は、動画像，静止画像の画像に限らず、単なる文字でもよい。
筐体１の形状における略箱状とは、概ね６面体であるものを指す。
表示する情報は、メモリーカードから供給されなくてもよい。例えば、外部と通信を行う通信部を備え、この通信部を介して外部から情報が供給される構成としてもよい。
カードスロット６にメモリーカードＭＣを挿抜するための開口部１ｄまたは調整操作部１１は、表示装置５０の天面（上面）ＪＭに設けられるのが最も好ましいが、底面（下面）ＳＭに設けるのも、この装置５０が支柱５３ａ，５３ｂに取り付けられた状態で外部から容易に挿抜あるいは操作しづらくなるので好ましい。
【００４５】
上述した実施例は、自動車のヘッドレストの支柱に取り付ける例を説明したが、博物館などの展示状の展示物近傍に設けた支柱に装着して展示物の解説用などに適用してもよい。
【図面の簡単な説明】
【００４６】
【図１】本発明の表示装置の実施例を示す外観斜視図である。
【図２】本発明の表示装置の実施例における装着状態を説明するための図である。
【図３】本発明の表示装置の実施例における要部を説明するための図である。
【図４】本発明の表示装置の実施例における他の要部を説明するための図である。
【図５】本発明の表示装置の実施例における装着手順を説明するための図である。
【図６】本発明の表示装置の実施例における機能を説明するための図である。
【符号の説明】
【００４７】
１  筐体
１ａ  開口部
１ｂ  放音孔
１ｃ  凹部
１ｄ  開口部
２  表示素子
３  スピーカ
４  駆動部
５  制御部
６  カードスロット
７  ボリュームノブ
８  電源ボタン
８ａ  バッテリー
９  再生／停止ボタン
１０  再生頭出しボタン
１１  調整操作部
１２  （左）係合部
１２ａ  スリット
１２ｂ  支柱収容部
１２ｂｎ  内周面
１２ｃ  （可撓）腕部
１２ｄ  （固定）腕部
１３  （右）係合部
１３ａ  スリット
１３ｂ  支柱当接壁部
１３ｃ  （可撓）腕部
１３ｄ  支柱収容部
１４  板ばね
１５  コイルばね
５０  表示装置
７１  座席
７１ａ  本体部
７１ａｊ  上面
７２  ヘッドレスト
７２ｔ  底面
７３ａ，７３ｂ  支柱
ｄ１，ｄ２  （スリットの）幅
Ｆ１，Ｆ２  弾性反発力
ＭＣ  メモリーカード
ＺＭ  前面
ＪＭ  上面（天面）
ＳＭＬ  左側面
ＳＭＲ  右側面
ＳＭ  底面
【図１】
2008207581.tif 000003
【図２】
2008207581.tif 000004
【図３】
2008207581.tif 000005
【図４】
2008207581.tif 000006
【図５】
2008207581.tif 000007
【図６】
2008207581.tif 000008